(57)【特許請求の範囲】
【請求項１】
ウェブ文書のディスプレイシステムにおいて、
ネットワークを通じてウェブ文書を検索するウェブ文書検索部と、
検索されたウェブ文書を示すメインディスプレイ部と、
前記ウェブ文書をフレーム毎に所定サイズ以下に縮小した縮小画面(scale-down picture)を生成する縮小画面生成部と、
前記縮小画面を示すサブディスプレイ部と、
検索されたウェブ文書のフレーム構造を把握するフレーム構造判断部と、
を含み、前記縮小画面には前記ウェブ文書のフレーム構造が示されてなり、
前記ウェブ文書検索部と、前記メインディスプレイ部が付属されており、検索されたウェブ文書のフレーム構造を把握するフレーム構造判断部を有するメインデバイスと、
前記縮小画面生成部とサブディスプレイ部とが付属されており、ユーザー入力部を有するサブデバイスと、
前記メインデバイスと前記サブデバイスとを相互通信可能に連結して、前記フレーム構造判断部により把握されたフレーム構造情報を前記サブデバイスに提供し、前記ユーザー入力部を通じて入力されたフレーム選択情報を前記メインデバイスに伝達する通信手段を含み、
前記サブディスプレイ部は前記フレーム構造を示して前記ユーザー入力部を通じて願うフレームを選択できるようにし、前記メインディスプレイ部には前記フレーム選択情報に従って選択されたフレームが示されることを特徴とするディスプレイシステム。
【請求項２】
前記サブディスプレイ部は前記メインディスプレイ部の一部領域に形成される縮小画面ウィンドウを表示することを特徴とする請求項１に記載のディスプレイシステム。
【請求項３】
前記縮小画面ウィンドウの表示及び表示解除を選択するための縮小画面選択部をさらに含むことを特徴とする請求項２に記載のディスプレイシステム。
【請求項４】
前記サブディスプレイ部は前記縮小画面ウィンドウが示されてから所定時間が経ると表示解除することを特徴とする請求項２に記載のディスプレイシステム。
【請求項５】
前記通信手段は有線または無線の通信手段であることを特徴とする請求項１に記載のディスプレイシステム。
【請求項６】
前記サブディスプレイ部は前記ユーザー入力部を通じて選択されたフレームが強調されて示されるように制御することを特徴とする請求項１に記載のディスプレイシステム。
【請求項７】
前記ユーザー入力部を通じて複数のフレーム選択された場合、前記メインディスプレイ部は選択されたフレームを所定の時間間隔を置いて次第に示すことを特徴とする請求項１に記載のディスプレイシステム。
【請求項８】
ウェブ文書ディスプレイ方法において、
ネットワークを通じて検索したウェブ文書をディスプレイする段階と、
前記ウェブ文書をフレーム毎に所定サイズ以下に縮小した縮小画面を生成する段階と、
前記縮小画面をディスプレイする段階とを含み、
前記縮小画面を生成する段階は、
前記ウェブ文書を貯蔵する段階と、
前記ウェブ文書のフレーム構造を把握する段階と、
前記フレーム構造を前記縮小画面に生成する段階とを含んでなり、
前記検索されたウェブ文書は所定のメインディスプレイ部に示され、
前記縮小画面のディスプレイ段階は、
前記縮小画面を前記メインディスプレイ部から遠隔位置したサブディスプレイ部に伝送する段階と、
前記縮小画面を前記サブディスプレイ部に示す段階とを含むことを特徴とするディスプレイ方法。
【請求項９】
前記縮小画面から少なくとも一つのフレームを選択する段階と、
前記選択されたフレームを前記メインディスプレイ部に示す段階をさらに含むことを特徴とする請求項８に記載のディスプレイ方法。
【発明の詳細な説明】
【０００１】
【発明の属する技術分野】
本発明はウェブ文書ディスプレイシステム及びその方法に係り、特に、ウェブ文書をディスプレイする時に、ウェブページ全ての構成を分かることができるようにディスプレイするディスプレイシステム及びその方法に関する。
【０００２】
【従来の技術】
ワールドワイドウェブ（ＷＷＷ：Ｔｈｅ  Ｗｏｒｌｄ−Ｗｉｄｅ  Ｗｅｂ、以下ウェブ（Ｔｈｅ  Ｗｅｂ）という）は、近年一番脚光を浴びているインターネット上の情報提供サービスとして、テキスト情報は勿論グラフィック情報と音声情報等を提供し交換することができる。
【０００３】
ウェブの使用が拡散されることにより、デスクトップコンピュータ以外にもラップトップ、ノートブック、モービルフォン、ＰＤＡｓ／ＰＣＡｓ（Ｐｅｒｓｏｎａｌ  Ｄｉｇｉｔａｌ／Ｃｏｍｍｕｎｉｃａｔｉｏｎ  Ａｓｓｉｓｔａｎｔｓ）のようなポータブル機器は勿論ディジタルＴＶとインターネットＴＶのように、ディスプレイ可能な家電機器でもウェブ接続機能を採用している。
【０００４】
ウェブの一番の特徴はハイパーテキスト又はハイパーメディアの形態の情報を提供することである。ハイパーテキストはテキスト情報としてその内部に他の情報に対するリンクを含んでいる情報であり、ハイパーメディアは単純な文字だけでなく、絵、音声、動画像等多様な形態の情報に対するリンクまで含んでいる情報をいう。従って、ユーザーは画面上のリンクをクリックすることによりリンクに特定されたＵＲＬにある新しい文書を見ることができる。
【０００５】
ウェブを通じてアクセスするウェブ文書は、基本文書フォーマットを提供し他のサーバとかファイルへのリンクを特定できるようにしてくれるＨＴＭＬ（ＨｙｐｅｒＴｅｘｔ  Ｍａｒｋｕｐ  Ｌａｎｇｕａｇｅ）を用いて作成されたもので、テキストを画面に見せてくれるとか他のウェブ文書にリンクするためにテキスト中間に挿入される命令語としてタグを用いる。
【０００６】
タグの基本形式は＜ＴＡＧ＞〜＜／ＴＡＧ＞として、＜ＴＡＧ＞はＨＴＭＬ命令語を意味し、〜部分にはタグの影響を受ける本文が羅列され、＜／ＴＡＧ＞はＨＴＭＬ命令の終了を知らせる。ＨＴＭＬの基本構成タグとしては、例えば＜ＨＴＭＬ＞〜＜／ＨＴＭＬ＞、＜ＨＥＡＤ＞〜＜／ＨＥＡＤ＞及び＜ＢＯＤＹ＞〜＜／ＢＯＤＹ＞がある。ここで、＜ＨＴＭＬ＞は文書がＨＴＭＬ形式で叙述されていることを意味する。＜ＨＥＡＤ＞は文書の作成時期、サイズ等に関する情報を含んでいることを、＜ＢＯＤＹ＞は文書本文を意味する。
【０００７】
ウェブブラウザにより要求されたＨＴＭＬ文書はウェブサーバによりウェブブラウザに提供されウェブブラウザは提供された文書に挿入されたタグを解析し、これに基づいて適切な方法でユーザーにディスプレイする。
【０００８】
一方、前記ディスプレイされたウェブ文書がウェブブラウザを通じて”フレーム（ｆｒａｍｅ）”と呼ばれる何個かの分割された画面でディスプレイされるフレーム構造のＨＴＭＬ文書である場合には、フレーム構造を意味する＜ｆｒａｍｅ＞或いは＜ｆｒａｍｅｓｅｔ＞タグが含まれている。ウェブブラウザはこのようなフレームタグを通じてＨＴＭＬ文書のｆｒａｍｅ構造を把握する。
【０００９】
図１は従来のディスプレイ方法によりディスプレイされた通常のウェブ文書画面を示したものである。ウェブページ１９０が画面サイズより大きい場合にはスクロールバー１９１を用いて、残りの部分を見ることができるようにしている。
【００１０】
図２は従来のディスプレイ方法によりディスプレイされたフレーム構造のウェブ文書画面を示したものである。四つのフレーム構造の文書１００、１１０、１２０、１３０が一つの画面にディスプレイされており、文書の内容がフレームサイズより大きい場合にはスクロールバー１０１、１１１、１２１、１３１が備えられる。ユーザーは各スクロールバー１０１、１１１、１２１、１３１を操作して画面の以外の部分を見ることができる。
【００１１】
図３は従来のディスプレイ方法によりディスプレイされたフレーム構造のＨＴＭＬ文書の他の画面を示したものである。ここでフレーム１４０、１５０、１６０、１７０は垂直に羅列され、やはり画面にディスプレイされない内容とかフレームをスクロールするための一つのスクロールバー１８０が備えられている。
【００１２】
図１に開示されたディスプレイ方法によると、現在ディスプレイされていない残り部分の内容は分かることができないので、ウェブページ全ての構成及び内容を分かるためには、実際にスクロールバーを用いてウェブページ全てを見なければならないという不便がある。
【００１３】
一方、図２に示されたフレーム構造のウェブ文書のディスプレイ方法によると、全てのフレームが一つの画面に示されるので、特にウェブビデオフォンと、ウェブ接続機能が採用されたモービルフォン等のようにディスプレイ画面のサイズが小さい場合、内容を分かることが容易でなく、また画面の構成が複雑になるという問題がある。
【００１４】
図３に開示された方法によると、ユーザーが文書全ての構造を把握することが容易ではないので願うフレームを迅速に選択できず、またフレーム間の移動が速くないという問題がある。
【００１５】
【発明が解決しようとする課題】
従って、本発明の目的は、ウェブ文書をディスプレイすることにおいて、ウェブ文書全ての構成を一目で分かることができるウェブ文書ディスプレイシステム及びその方法を提供することである。
【００１６】
本発明の他の目的は、フレーム構造のウェブ文書をディスプレイすることにおいて、ユーザーが願うフレームを速くて、見やすくディスプレイするウェブ文書ディスプレイシステム及びその方法を提供することである。
【００１７】
【課題を解決するための手段】
本発明は、前記課題を解決するため、ウェブ文書のディスプレイシステムにおいて、ネットワークを通じてウェブ文書を検索するウェブ文書検索部と、検索されたウェブ文書を示すメインディスプレイ部と、前記ウェブ文書を所定サイズ以下に縮小した縮小画面（ｓｃａｌｅ−ｄｏｗｎ  ｐｉｃｔｕｒｅ）を生成する縮小画面生成部と、前記縮小画面を示すサブディスプレイ部を含むことを特徴とするディスプレイシステムにより達成される。
【００１８】
ここで、検索されたウェブ文書のフレーム構造を把握するフレーム構造判断部をさらに含み、前記縮小画面には前記ウェブ文書のフレーム構造が示されることが望ましい。
【００１９】
一方、前記サブディスプレイ部は前記メインディスプレイ部の一部領域に形成される縮小画面ウィンドウを有することが望ましい。
【００２０】
そして、前記縮小画面ウィンドウの表示及び表示解除を選択するための縮小画面選択部をさらに含み、前記サブディスプレイ部は前記縮小画面ウィンドウが示されてから所定時間を経ると表示解除することが望ましい。
【００２１】
ここで、前記ウェブ文書検索部と、前記メインディスプレイ部が付属されており、検索されたウェブ文書のフレーム構造を把握するフレーム構造判断部を有するメインデバイスと、前記縮小画面生成部とサブディスプレイ部とが付属されており、ユーザー入力部を有するサブデバイスと、前記メインデバイスと前記サブデバイスとを相互通信可能に連結して、前記フレーム構造判断部により把握されたフレーム構造情報を前記サブデバイスに提供し、前記ユーザー入力部を通じて入力されたフレーム選択情報を前記メインデバイスに伝達する通信手段を含み、前記サブディスプレイ部は前記フレーム構造を示して前記ユーザー入力部を通じて願うフレームを選択できるようにし、前記メインディスプレイ部には前記フレーム選択情報に従って選択されたフレームが示されることがさらに効果的である。
【００２２】
この時、前記通信手段は有線または無線の通信手段であることが望ましいし、前記サブディスプレイ部は前記ユーザー入力部を通じて選択されたフレームが強調されて示されるように制御することが望ましい。
【００２３】
一方、前記ユーザー入力部を通じて複数のフレームが選択された場合、前記メインディスプレイ部は選択されたフレームを所定の時間間隔を置いて次第に示すことが望ましい。
【００２４】
本発明の目的は、本発明の他の分野によると、ウェブ文書ディスプレイ方法において、ネットワークを通じて検索したウェブ文書をディスプレイする段階と、前記ウェブ文書を所定サイズ以下に縮小した縮小画面を生成する段階と、前記縮小画面をディスプレイする段階とを含むことを特徴とするディスプレイ方法によっても達成される。
【００２５】
ここで、前記縮小画面は前記ウェブ文書が示されたスクリーン上の一部領域を占めるウィンドウで示されることが望ましいし、前記縮小画面ウィンドウの表示を選択する段階及び表示解除を選択する段階をさらに含むことが望ましい。
【００２６】
また、前記縮小画面ウィンドウが示されてから、所定時間を経ると表示解除する段階をさらに含むことが効果的である。
【００２７】
ここで、前記縮小画面生成段階は、前記ウェブ文書を貯蔵する段階と、前記ウェブ文書のフレーム構造を把握する段階と、前記フレーム構造を前記縮小画面に生成する段階とを含むことが望ましいし、前記検索されたウェブ文書は所定のメインディスプレイ部に示され、前記縮小画面のディスプレイ段階は、前記縮小画面を遠隔位置したサブディスプレイ部に伝送する段階と、前記縮小画面を前記サブディスプレイ部に示す段階とを含むことが効果的である。
【００２８】
そして、前記縮小画面から少なくとも一つのフレームを選択する段階と、前記選択されたフレームを前記メインディスプレイ部に示す段階をさらに含むことが望ましい。
【００２９】
【発明の実施の形態】
以下、添付した図面を参照して本発明の実施形態を詳しく説明する。
図４は本発明による第１実施形態としてウェブ文書ディスプレイシステムの概略図である。
第１実施形態のウェブ文書ディスプレイシステムは、複数のコンピュータ或いはサーバの連結網であるネットワーク３１０と、ネットワーク３１０を通じてウェブ文書を検索してディスプレイするメインデバイス３００と、メインデバイスからウェブ文書のフレーム構造情報を受けてディスプレイするサブデバイス３２０とを含む。ここで、メインデバイス３００とサブデバイス３２０は別個の装置として、それぞれ通信インターフェースを備えており有線或いはＲＦ通信等の無線通信を通じて相互情報を取り交わす。
【００３０】
ここで、ネットワーク３１０はウェブ文書が検索され得るインターネット等を含み、メインデバイス３００はネットワーク３１０に接続できる装置として、デスクトップと、ラップトップと、ノートブックと、モービルフォンと、ウェブビデオフォンと、ＰＤＡｓ／ＰＣＡｓ（Ｐｅｒｓｏｎａｌ  Ｄｉｇｉｔａｌ／Ｃｏｍｍｕｎｉｃａｔｉｏｎ  Ａｓｓｉｓｔａｎｔｓ）のようなポータブル機器は勿論、ディジタルＴＶとかインターネットＴＶのようにウェブ文書を検索してディスプレイすることができる家電機器等を意味する。一方、サブデバイス３２０はメインデバイス３００と有線或いは無線通信を通じてデータを送受信することができ、受けられたデータのディスプレイ機能が備えられたリモートコントロール機器等を意味する。
【００３１】
図５は図４の詳細構成図を示したものである。
メインデバイス３００は、ユーザーから命令を受けてネットワーク３１０を通じてウェブ文書を検索するウェブ文書検索部３０１と、検索されたウェブ文書をディスプレイするメインディスプレイ部３０３と、検索されたウェブ文書がフレーム構造であるか否かを判断し当該文書がフレーム構造である場合該フレーム構造を把握するフレーム構造判断部３０２と、サブデバイス３２０との相互通信をするメイン通信インターフェース３０４とを含む。
【００３２】
サブデバイス３２０は、ユーザーがフレーム選択命令或いはウェブ文書検索命令を入力できるユーザー入力部３２１と、サブ通信インターフェース３２６を通じてフレーム構造判断部３０２からのフレーム構造情報を受けてフレーム構造を示す縮小画面を生成する縮小画面生成部３２５と、縮小画面生成部３２５からの縮小画面を受けてディスプレイするサブディスプレイ部３２２とを含む。
【００３３】
ここで、メインディスプレイ部３０３及びサブディスプレイ部３２２はデータの送受信及び制御のためのコントローラをそれぞれ備えている。
【００３４】
図６は本発明によるフレーム構造のウェブ文書ディスプレイ方法を示したフローチャートである。
ウェブ文書検索部３０１はユーザーから検索命令を受けてネットワーク３１０に基づいてデータを送受信して検索されたウェブ文書を持って来る（４００）。ユーザーは直接ウェブ文書検索部３０１に設けられた入力手段を通じて検索命令を入力することもでき、メインデバイス３００と相当距離離れて位置する場合にはサブデバイス３２０のユーザー入力部３２１に設けられた入力手段を通じて検索命令を入力することもできる。この場合にユーザーの検索命令は入力命令送信部３２３を通じてメインデバイス３００のウェブ文書検索部３０１に送信される。ユーザー入力部３２１はサブディスプレイ部３２２画面上に示された選択パネルをクリックできるマウスとかトラックボール、タッチスクリーンパネル或いはユーザーボタンパネル等多様な方法で具現され得る。
【００３５】
ウェブ文書はＨＴＭＬで作成され、タグ（ＴＡＧ）と呼ばれる命令語を含んでいる。従って、フレーム構造判断部３０２はウェブ文書にフレーム構造であることを宣言するフレームタグが挿入されているか否かを確認して当該文書がフレーム構造であるか否かを判断する（４１０）。
【００３６】
検索されたウェブ文書がフレーム構造ではない場合にはウェブ文書をそのままメインディスプレイ部３０３にディスプレイする（４２０）。しかし、検索されたウェブ文書がフレーム構造の文書である場合、メインディスプレイ部３０３は検索されたウェブ文書の初めのフレームの内容だけをディスプレイする（４３０）。ここでフレームの順序はフレームタグの順序に従って決まる。この場合、ユーザーは初期値をセッティングすることによりディスプレイされるフレームを選択することもできる。
【００３７】
フレーム構造判断部３０２は挿入されたタグを通じてフレーム構造を把握する（４４０）。その後、把握されたフレーム構造情報をメイン通信インターフェース３０４を通じてサブディスプレイ部３２２に送信する（４５０）。フレーム構造情報を受けたサブディスプレイ部３２２は自体に備えられた画面に全てのフレームを所定比率で配置してディスプレイする（４６０）。この時、サブディスプレイ部３２２は画面に示された全てのフレームの中でメインデバイス３００のメインディスプレイ部３０３にディスプレイされたフレーム部分にハイライトを与えるとか動映像アイコンを用いる等の方法で強調して残りフレームと区分されるように表示する。ユーザーはサブデバイス３２０のサブディスプレイ部３２２にディスプレイされたフレーム構造を見てウェブ文書のフレーム構造を把握し、これに基づいてユーザー入力部３２１を通じて所定フレームを選択する（４７０）。この時、ユーザーが所定のフレームを選択すると、サブディスプレイ部３２２は当該フレームにハイライトを与えるとか動映像のアイコンを用いること等によりどのフレームが選択されたかを分かることができる。
【００３８】
一方、サブ通信インターフェース３２６はユーザーが選択したフレーム情報をメインデバイス３００のメインディスプレイ部３０３に送信する（４８０）。ユーザーからフレーム選択情報を受信したメインディスプレイ部３０３は当該フレームの内容を画面にアップデートしてディスプレイする（４９０）。この時、ユーザーは複数のフレームを選択することもでき、複数のフレームの選択された場合にメインディスプレイ部３０３は選択されたフレームを所定時間間隔を置いて次第に画面にディスプレイする。
【００３９】
図７は図６の段階４６０でメインデバイス３００及びサブデバイス３２０のウェブ文書のディスプレイ状態を示したものである。
メインデバイス３００のメインディスプレイ部３０３にはウェブ文書検索部３０１により検索されたウェブ文書の初めのフレームが示されており、サブデバイス３２０のサブディスプレイ部３２２にはウェブ文書のフレーム全てが一つの画面に所定比率で配置されている。ここで、フレームの番号はウェブ文書のフレームタグの記載順序に従って決まる。メインデバイス３００のメインディスプレイ部３０３に初めのフレームがディスプレイされているのでサブデバイス３２０のサブディスプレイ部３２２は当該フレームを強調して示すことによりユーザーは現在どの位置のフレームがメインデバイスにディスプレイされているかを容易に分かることができる。
【００４０】
図８は図６の段階４９０でメインデバイスとサブデバイスのウェブ文書のディスプレイ状態を示したものである。
メインデバイス３００のメインディスプレイ部３０３にはユーザーにより選択されたフレームが示されており、サブデバイス３２０のサブディスプレイ部３２２にはウェブ文書のフレーム全てが一つの画面に所定比率で配置されている。メインデバイス３００のメインディスプレイ部３０３に三番目フレームがディスプレイされているのでサブデバイス３２０のサブディスプレイ部３２２は当該フレームを強調して示すことによりユーザーが現在どの位置のフレームがメインデバイス３００にディスプレイされているかを容易に分かることができる。
【００４１】
図９は本発明による第２実施形態であるウェブビデオフォンの外形図であり、図１０はウェブビデオフォンで具現されたウェブ文書のディスプレイ装置の構成を示したブロック図である。
ウェブビデオフォンはカラー液晶画面５００と、キーボード５１０と、カード判読機（図示せず）ＣＣＤ（Ｃｈａｒｇｅ  Ｃｏｕｐｌｅｄ  Ｄｅｖｉｃｅ）カメラ５２０等が装着された情報端末機である。ウェブビデオフォンは一般公衆電話網とインターネットを通じて低廉なコストで国際電話とか画像通話をすることができる。
【００４２】
本発明によるウェブ文書ディスプレイシステムに関する第２実施形態としてウェブビデオフォンは、メインデバイスとサブデバイスが別個で独立された装置でなく、単一の装置として具現されている。詳しくは、ユーザーから命令を受けてネットワークを通じてウェブ文書を検索するウェブ文書検索部６０１と、検索されたウェブ文書をディスプレイするメインディスプレイ部６０３と、ウェブビデオフォンの所定位置に備えられて、ウェブ文書の全てを縮小させて表示するとか表示解除のための全画面縮小キーを備えたユーザー入力部６２１と、検索されたウェブ文書の縮小画面を生成する縮小画面生成部６２５と、縮小画面生成部６２５から縮小画面を受けてディスプレイするサブディスプレイ部６２０とを含む。ここで、サブディスプレイ部６２０はメインディスプレイ部６０３の一部領域に形成される縮小画面ウィンドウを有し、縮小画面生成部６２５にはウェブ文書を貯蔵するためのメモリ６０２が備えられている。
【００４３】
図１１は本発明によるウェブビデオフォンのウェブ文書ディスプレイ方法を示したフローチャートである。
先ず、ユーザーの命令に従ってウェブ文書検索部６０１がインターネット等のネットワークを通じてウェブ文書を検索してから、メインディスプレイ部６０３はウェブ文書検索部６０１から受けたウェブ文書をディスプレイし（７００）、縮小画面生成部６２５は前記検索されたウェブ文書をメモり６０２に貯蔵させる（７１０）。
【００４４】
一方、ユーザーにより全画面縮小キーが入力されると（７２０）、メモリ６０２に貯蔵されているウェブ文書を縮小させてメインディスプレイ部６０３のディスプレイ画面の所定位置に形成された縮小画面ウィンドウに示す（７３０）。
【００４５】
全画面縮小キーは通常ウェブビデオフォンの制御パネルのボタンで具現されて所定位置に設けられ、ユーザーがこれを押すとウェブ文書全てが縮小されて縮小画面ウィンドウに示されるので、ユーザーはこれを通じてメインディスプレイ部６０３に示されない部分を含んだウェブ文書全てを見ることができる。
【００４６】
一方、ユーザーが全画面縮小キーを押さなくても、ウェブ文書がメインディスプレイ部６０３の画面にディスプレイされると共に縮小画面が示されるようにとか、前記ウェブ文書がフレーム構造である場合、縮小画面生成部６２５は前記縮小画面を生成することにおいて、フレーム構造情報を分かることができるように全てのフレーム構造が示された画面を縮小画面で生成するようにプログラムすることもできる。
【００４７】
図１２はウェブ文書の縮小画面ウィンドウが示されたメインディスプレイ部の画面を示したものである。ここで、ウェブ文書の縮小画面９００はユーザーの選択によりメインディスプレイ部６０３画面上の所定位置に移されることもできる。
【００４８】
メインディスプレイ部６０３の画面上の縮小画面ウィンドウに示された縮小画面を削除したい場合ユーザーは全画面縮小キーを再入力する。全画面縮小キーが再入力されるとサブディスプレイ部６２０は前記縮小画面ウィンドウを削除させる。
【００４９】
一方、縮小画面の表示時間を先に設定して置くとかユーザーにより設定できるようにして、全画面縮小キーを再入力する必要がなく、縮小された全ての文書画面がディスプレイ画面上に所定時間の間示された後、自動的に削除されるようにプログラムすることができる。
【００５０】
詳述したように本発明によるメインデバイスとサブデバイスは一体で、或いは分離されてコンピュータシステム、移動通信端末機、等に具現されることができる。
【００５１】
【発明の効果】
前述したように、本発明によると、フレーム構造のウェブ文書を移動通信機器等の画面にディスプレイする時に、リモートコントロール機器のようなサブデバイスを通じてユーザーが選択したフレームのみをメインデバイスである主家電機器の画面にディスプレイすることができるのでフレームのアクセスが容易に行われる。特に、複雑なフレーム構造のウェブ文書とかメインデバイスの画面が大きくない場合にさらに効果的である。
【００５２】
一方、ウェブ文書をディスプレイすると共にウェブ文書全ての縮小画面をディスプレイ画面に示してユーザーがウェブ文書の全て構造を容易に把握することができる。
【００５３】
以上では本発明の望ましい実施形態を示しかつ説明したが、本発明は前述した特定の望ましい実施形態に限らず、特許請求の範囲で請求した本発明の要旨を逸脱せず当該発明の属する技術分野で通常の知識を持つ者ならば誰でも多様な変形実施が可能なことは勿論、そのような変更は特許請求の範囲の記載の範囲内にあるようになる。
【図面の簡単な説明】
【図１】従来のディスプレイ方法によりディスプレイされたウェブ文書の概略図である。
【図２】従来のディスプレイ方法によりディスプレイされたフレーム構造のウェブ文書の概略図である。
【図３】従来のディスプレイ方法によりディスプレイされたフレーム構造のウェブ文書の他の画面の概略図である。
【図４】本発明によるフレーム構造のウェブ文書のディスプレイシステムのブロック図である。
【図５】図４の詳細ブロック図である。
【図６】本発明によるフレーム構造のウェブ文書のディスプレイ方法を示した流れ図である。
【図７】図６の段階４６０を遂行する時のメインデバイス３００とサブデバイス３２０のウェブ文書ディスプレイ状態を示した概略図である。
【図８】図６の段階４９０を遂行する時のメインデバイス３００とサブデバイス３２０のウェブ文書ディスプレイ状態を示した概略図である。
【図９】本発明のウェブビデオフォンの外形図である。
【図１０】ウェブビデオフォンのウェブ文書ディスプレイ装置のブロック図である。
【図１１】本発明によるウェブビデオフォンのウェブ文書ディスプレイ方法を示した流れ図である。
【図１２】フレーム構造のウェブ文書の縮小画面のディスプレイされた画面を示した図である。
【符号の説明】
３１０  ネットワーク
３００  メインデバイス
３２０  サブデバイス
３０１  ウェブ文書検索部
３０２  フレーム構造判断部
３０３  メインディスプレイ部
３２３  入力命令送信部
３２０  フレーム構造ディスプレイ部
３２１  ユーザー入力部
【図１】
0003623403.tif 000002
【図２】
0003623403.tif 000003
【図３】
0003623403.tif 000004
【図４】
0003623403.tif 000005
【図５】
0003623403.tif 000006
【図６】
0003623403.tif 000007
【図７】
0003623403.tif 000008
【図８】
0003623403.tif 000009
【図９】
0003623403.tif 000010
【図１０】
0003623403.tif 000011
【図１１】
0003623403.tif 000012
【図１２】
0003623403.tif 000013